(57)【要約】      （修正有）【課題】カッター部材による怪我を防ぐことができるテープ貼付装置の伸縮保護カバーを提供する。【解決手段】テープ貼付装置の伸縮保護カバーは、保護カバー１０及び伸縮カバー２０を備える。テープ貼付装置１００は、ベース１０１を含む。ベースは、テープカートリッジが嵌合される軸筒１０５と、貼付部１０６とを有する。貼付部には、ローラ１０９が枢着される。ローラに隣接した箇所には、カッター部材１０８が配設される。カッター部材は、外方向に設けられた刃先を有する。保護カバー１０は、カッター部材を覆うように配置されるが、少なくとも刃先は露出される。伸縮カバー２０は、カッター部材と保護カバーとの間に設けられるとともに、少なくとも１つの弾性部材２１を介して保護カバー１０と接続され、通常状態で外方向に張り出してカッター部材の刃先を覆う。【選択図】図２
0003202352.tif 000002
【実用新案登録請求の範囲】
【請求項１】
保護カバー及び伸縮カバーを備えるテープ貼付装置の伸縮保護カバーであって、
前記テープ貼付装置は、ベースを含み、
前記ベースは、テープカートリッジが嵌合される軸筒と、貼付部と、を有し、
前記貼付部には、ローラが枢着され、
前記ローラに隣接した箇所には、カッター部材が配設され、
前記カッター部材は、外方向に設けられた刃先を有し、
前記保護カバーは、前記カッター部材を覆うように配置されるが、少なくとも前記カッター部材の刃先が露出され、
前記伸縮カバーは、前記カッター部材と前記保護カバーとの間に設けられるとともに、少なくとも１つの弾性部材を介して前記保護カバーと接続され、通常状態で外方向に張り出して前記カッター部材の刃先を覆い、前記伸縮カバーが外力で押圧されると前記伸縮カバーは内方向で引っ込み、前記カッター部材の刃先が露出されることを特徴とするテープ貼付装置の伸縮保護カバー。
【請求項２】
前記保護カバーには、内方にかけて徐々に縮小する錐形孔が縦向きに形成され、前記錐形孔にねじを挿通させると、前記保護カバーが前記ベースに螺着されることを特徴とする請求項１に記載のテープ貼付装置の伸縮保護カバー。
【請求項３】
前記保護カバーの底面には、位置規制部が設けられ、
前記位置規制部には、少なくとも２つの位置決め突条体が設けられ、
前記位置決め突条体は、ストッパ縁から遠い一端が互いに接続され、前記位置規制部により位置決め溝が画成され、前記位置決め溝の開口端は、前記保護カバーの中央部に設けられ、
前記伸縮カバーには、前記弾性部材に対応するように凸円部が設けられ、
前記弾性部材は、一端が前記伸縮カバーの前記凸円部に接続され、他端が前記位置決め溝に挿入されて前記位置決め溝の封止端に接続されることを特徴とする請求項１に記載のテープ貼付装置の伸縮保護カバー。
【請求項４】
前記保護カバーには、第１の位置決め部が設けられ、
前記伸縮カバーには、前記第１の位置決め部に対応するように第２の位置決め部が設けられ、
前記伸縮カバーは、前記保護カバーを介して出入りし、
前記第１の位置決め部は、少なくとも１つの位置決め突条体を有し、
前記第２の位置決め部は、少なくとも１つの凹溝を有し、
前記位置決め突条体は、前記凹溝に挿通され、
前記保護カバーの前側には、ストッパ縁が下方向に設けられ、
伸縮カバーの頂面には、前記ストッパ縁に対向するように複数の凸縁が設けられ、
前記凸縁間には、凹溝が形成されることを特徴とする請求項１に記載のテープ貼付装置の伸縮保護カバー。
【請求項５】
前記伸縮カバーの底面には、少なくとも１つのリブが設けられ、
前記リブは、前記カッター部材の頂面に設けられ、前記伸縮カバーが出入りする際に前記カッター部材との間に発生する摩擦力を減らすことを特徴とする請求項１に記載のテープ貼付装置の伸縮保護カバー。
【考案の詳細な説明】
【技術分野】
【０００１】
本考案は、テープ貼付装置に関し、特に、テープ貼付装置の伸縮保護カバーに関する。
【背景技術】
【０００２】
従来のテープ貼付装置は、ベースを含む。ベースは、軸筒を有する。軸筒には、テープカートリッジが嵌合される。ベースには、ローラが枢着され、ローラに隣接した箇所には、カッター部材が設けられる。カッター部材の刃先は外方向に配置され、使用する際にテープカートリッジから自由端を引き出し、カッター部材を避けてテープカートリッジの自由端がカッター部材とローラとの間に挿通され、テープカートリッジを所望の箇所に貼付け、ユーザがテープ貼付装置を移動させると、軸筒上でテープカートリッジが回転し、テープをテープカートリッジから円滑に引き出して使用することができる。貼付け作業を完了させる際、ユーザはカッター部材によりテープを切断し、テープカートリッジの自由端の残部をローラ上に貼付ける。
【０００３】
しかし、カッター部材の刃先が外方向に配置されているため、ユーザがテープ貼付装置を使用して貼付け作業を行う際やテープ貼付装置を他の人に渡すときに、カッター部材の刃先に誤って触れて怪我してしまう虞があった。上述したような問題点に鑑み、本考案者は、従来のテープ貼付装置に改良を加えて本考案を完成させた。
【考案の概要】
【考案が解決しようとする課題】
【０００４】
本考案の主な目的は、テープを切断する機能を有する上、テープ貼付装置を使用していないとき、保護カバーは、弾性部材により伸縮蓋が外方向に押動され、伸縮蓋が通常状態のときに外方向に張り出されてカッター部材の刃先を覆うように設けられているため、露出されたカッター部材によりユーザが怪我をしてしまうことを防ぐことができる、テープ貼付装置の伸縮保護カバーを提供することにある。
【課題を解決するための手段】
【０００５】
上記課題を解決するために、本考案の第１の形態によれば、保護カバー及び伸縮カバーを備えるテープ貼付装置の伸縮保護カバーであって、前記テープ貼付装置は、ベースを含み、前記ベースは、テープカートリッジが嵌合される軸筒と、貼付部と、を有し、前記貼付部には、ローラが枢着され、前記ローラに隣接した箇所には、カッター部材が配設され、前記カッター部材は、外方向に設けられた刃先を有し、前記保護カバーは、前記カッター部材を覆うように配置されるが、少なくとも前記カッター部材の刃先が露出され、前記伸縮カバーは、前記カッター部材と前記保護カバーとの間に設けられるとともに、少なくとも１つの弾性部材を介して前記保護カバーと接続され、通常状態で外方向に張り出して前記カッター部材の刃先を覆い、前記伸縮カバーが外力で押圧されると前記伸縮カバーは内方向で引っ込み、前記カッター部材の刃先が露出されることを特徴とするテープ貼付装置の伸縮保護カバーが提供される。
【考案の効果】
【０００６】
本考案のテープ貼付装置の伸縮保護カバーは、テープを切断する機能を有する上、テープ貼付装置を使用していないとき、保護カバーは、弾性部材により伸縮蓋が外方向に押動され、伸縮蓋が通常状態のときに外方向に張り出されてカッター部材の刃先を覆うように設けられているため、露出されたカッター部材によりユーザが怪我をしてしまうことを防ぐことができる。
【図面の簡単な説明】
【０００７】
【図１】図１は、本考案の一実施形態に係るテープ貼付装置の伸縮保護カバーを示す斜視図である。
【図２】図２は、本考案の一実施形態に係るテープ貼付装置の伸縮保護カバーを示す分解斜視図である。
【図３】図３は、本考案の一実施形態に係るテープ貼付装置の伸縮保護カバーの通常状態を示す底面図である。
【図４】図４は、本考案の一実施形態に係るテープ貼付装置の使用状態の説明図である。
【図５】図５は、本考案の一実施形態に係るテープ貼付装置の伸縮保護カバーの使用状態の説明図である。
【図６】図６は、本考案の一実施形態に係る錐形孔を示す部分断面図である。
【考案を実施するための形態】
【０００８】
図１〜図３を参照する。図１〜図３に示すように、本考案の一実施形態に係るテープ貼付装置の伸縮保護カバーにおいて、伸縮保護カバーは、テープ貼付装置１００に設けられる。テープ貼付装置１００は、ベース１０１を含む。ベース１０１は、２つの板体１０２を有する。複数の板体１０２は、互いに平行に設置される。複数の板体１０２には、横板１０３が接続される。板体１０２には、軸筒１０５が設けられる。軸筒１０５には、テープカートリッジ２００が嵌合される。ベース１０１の前側には、板体１０２間に設けられた貼付部１０６を有する。貼付部１０６は、押圧輪１０７、カッター部材１０８及びローラ１０９を有する。横板１０３上には、カッター部材１０８が配設される。カッター部材１０８の刃先は、外方向に設けられる。押圧輪１０７及びローラ１０９は、板体１０２にそれぞれ枢着される。ローラの外周壁は、歯車状を呈する。押圧輪１０７は、横板１０３とローラ１０９との間に間隔をおいて配設され、ベース１０１から外方向に突出される。
【０００９】
本考案の一実施形態に係るテープ貼付装置の伸縮保護カバーは、保護カバー１０及び伸縮カバー２０を含む。保護カバー１０は、カッター部材１０８を覆うように配置され、少なくともカッター部材１０８の刃先が露出される。保護カバー１０の底面には、第１の位置決め部１１が設けられる。第１の位置決め部１１は、少なくとも１つの位置決め突条体１１１を有する。保護カバー１０の前側には、ストッパ縁１２が下方向に設けられる。ストッパ縁１２には、位置決め突条体１１１が接続される。保護カバー１０の底面には、位置規制部１３が設けられる。位置規制部１３は、少なくとも２つの位置決め突条体１３１を有する。複数の位置決め突条体１３１は、ストッパ縁１２から遠い一端が互いに接続され、位置規制部１３により位置決め溝１３２を画成する。位置決め溝１３２の開口端は、保護カバー１０の中央部に設けられる。保護カバー１０には、内方にかけて徐々に縮小する錐形孔１４が縦向きに形成され、錐形孔１４にねじを挿通させると、保護カバー１０がカッター部材１０８及びベース１０１に螺着される。
【００１０】
伸縮カバー２０は、カッター部材１０８と保護カバー１０との間に設けられる。伸縮カバー２０は、少なくとも１つの弾性部材２１を介して保護カバー１０に接続される。伸縮カバー２０には、弾性部材２１に対応するように凸円部２３が設けられる。弾性部材２１は、一端が伸縮カバー２０の凸円部２３に接続され、他端が位置決め溝１３２に挿入されて位置決め溝１３２の封止端と接続し、伸縮カバー２０は、通常状態で外方向に張り出し、カッター部材１０８の刃先を覆うように配置される。伸縮カバー２０の頂面には、第１の位置決め部１１に対応するように第２の位置決め部２４が設けられる。第２の位置決め部２４は、少なくとも１つの凹溝２４１を有する。伸縮カバー２０の頂面には、ストッパ縁１２に対向する複数の凸縁２５が設けられる。複数の凸縁２５間には、凹溝２４１が形成される。位置決め突条体１１１は、凹溝２４１に挿通される。伸縮カバー２０は、保護カバー１０により出入りし、伸縮カバー２０の底面には、少なくとも１つのリブ２６が設けられる。カッター部材１０８の頂面には、伸縮カバー２０が出入りする際にカッター部材１０８との間に発生する摩擦力を減らすために、リブ２６が設けられている。
【００１１】
図４を参照する。図４は、本考案の一実施形態に係るテープ貼付装置の使用状態の説明図である。図４に示すように、本考案の一実施形態に係るテープ貼付装置は、テープ貼付装置１００の軸筒１０５にテープカートリッジ２００が外嵌され、押圧輪１０７とローラ１０９との間にテープ２０１を挿通させてから、押圧輪１０７によりテープ２０１を所定の位置に貼付け、最終的にテープ貼付装置１００を移動させるとテープ２０１を繰り出すことができるようになり、ユーザは伸縮カバー２０をテープ２０１に当接させて弾性部材２１を圧縮し、伸縮カバー２０が戻るとカッター部材１０８の刃先がテープ２０１に当て止めされてテープ２０１が切断される。最終的に、伸縮カバー２０は、弾性部材２１により外方向に押動され、カッター部材１０８の刃先を覆うように設けられ、テープカートリッジ２００の自由端の残部がローラ１０９上に接着され、ローラ１０９上の歯車間の空隙により、次回貼付ける際、容易に使用することができる。
【００１２】
図２、図３及び図６を参照する。図２、図３及び図６に示すように、保護カバー１０には、第１の位置決め部１１が設けられ、伸縮カバー２０には、第２の位置決め部２４に対応するように、伸縮カバー２０が通常状態のときに弾性部材２１により当該方向へ張り出されると、保護カバー１０のストッパ縁１２が伸縮カバー２０の凸縁２５に当て止めされ、伸縮カバー２０がカッター部材１０８の刃先を覆うように設けられているため、カッター部材１０８が露出されてユーザが怪我することを防ぐ。
【００１３】
図４を参照する。図４に示すように、テープ２０１が伸縮カバー２０に当接されると、伸縮カバー２０により弾性部材２１が圧縮される。弾性部材２１が位置決め溝１３２に設けられ、伸縮カバー２０が位置決め突条体１３１に当て止めされてカッター部材１０８の刃先が露出される。図５は、本考案の一実施形態に係るテープ貼付装置の伸縮保護カバーの使用状態の説明図である。
【００１４】
図６を参照する。図６は、本考案の一実施形態に係る錐形孔を示す部分断面図である。図６に示すように、伸縮カバー２０が出入りする際、伸縮カバー２０のリブ２６の底面がカッター部材１０８の頂面に当接され、伸縮カバー２０とカッター部材１０８との間の接触面積を減らして伸縮カバー２０とカッター部材１０８との間の摩擦力を減らし、伸縮カバー２０の摺動がより円滑となる。
【００１５】
図６を参照する。図６は、本考案の一実施形態に係る錐形孔を示す部分断面図である。図６に示すように、横板１０３上には、カッター部材１０８が設けられる。保護カバー１０は、カッター部材１０８を覆うように設けられる。保護カバー１０の頂面には、内方向にかけて小さくなっている錐形孔１４が縦向きに形成され、錐形孔１４の径は内方向にかけて小さく、ねじが錐形孔１４に螺着されると、長時間使用しても保護カバー１０によりねじが緩んでしまうことを防ぐことができる。
【符号の説明】
【００１６】
１０  保護カバー
１１  第１の位置決め部
１２  ストッパ縁
１３  位置規制部
１４  錐形孔
２０  伸縮カバー
２１  弾性部材
２３  凸円部
２４  第２の位置決め部
２５  凸縁
２６  リブ
１００  テープ貼付装置
１０１  ベース
１０２  板体
１０３  横板
１０５  軸筒
１０６  貼付部
１０７  押圧輪
１０８  カッター部材
１０９  ローラ
１１１  位置決め突条体
１３１  位置決め突条体
１３２  位置決め溝
２００  テープカートリッジ
２０１  テープ
２４１  凹溝
【図１】
0003202352.tif 000003
【図２】
0003202352.tif 000004
【図３】
0003202352.tif 000005
【図４】
0003202352.tif 000006
【図５】
0003202352.tif 000007
【図６】
0003202352.tif 000008